(57)【要約】【課題】土壌中の保水量を高め、散水の回数を減らすことのできる植栽構造を提供する。【解決手段】まず、設置面１に防水層２を配置し、その防水層２の上に、容器状に形成され、容器内部が小さく区切られた保水手段３を敷き詰める。その保水手段３に、スギ及びヒノキの樹皮を繊維状に粉砕した難腐敗性樹皮４ａを配合してなる難腐敗性土壌４を充填することにより、植栽構造を構成する。【選択図】図１
2004041069.tif 000002
【特許請求の範囲】
【請求項１】
設置面に設けられた保水手段に、難腐敗性土壌を充填した植栽構造。
【請求項２】
前記保水手段の保水部が、区画壁により小さく区切られた請求項１記載の植栽構造。
【請求項３】
前記区画壁の高さが、３〜１０ｃｍとされた請求項２記載の植栽構造。
【請求項４】
ボックス内の下部が保水部とされ、ボックスの側壁に排水用穴が設けられた植栽ボックス。
【請求項５】
請求項４記載の植栽ボックスに、難腐敗性土壌を充填した植栽構造。
【請求項６】
前記難腐敗性土壌は、難腐敗性天然樹皮を含む請求項１、２、３又は５のいずれかに記載の植栽構造。
【発明の詳細な説明】
【０００１】
【発明の属する技術分野】
本発明は、屋上、地面などの設置面に植物を植えるための植栽構造に関する。
【０００２】
【従来の技術】
緑の減少や放熱量の増大によるヒートアイランド現象や大気汚染などの問題を改善するために、緑化の促進が求められており、その方法の一つとして屋上緑化がある。屋上緑化は、建物の屋上に土壌を敷いて植物を植栽することであり、植物の蒸散作用により気温を下げ、断熱効果によりエネルギー消費を低減し、大気を浄化する作用がある。
【０００３】
従来、特開平１１−３１８２１０号公報に記載されているように、建造物の屋上、屋根等に設置される植物の植栽装置は、装置底部に設けられる防水層と、植物の毛根等の装置外への進出を防止するために前記防水層上に固定張設されるルートガードと、ルートガード上に設けられ、上方から浸透する雨水あるいはその他の手段による潅水等を保持・排水し、保持した水分を植物の根部に供給するとともに積層される土壌を把持するために、保水部と排水部とが複数一体に形成されたドレイン板からなる保水給排水手段と、保水給排水手段上に構築され植物等を植栽するための客土層と、客土層の上面に張設され土壌の飛散等を防止するとともに、散布された植物種子を保持しあるいは発芽して間もない植物を保持するための育苗層と、前記育苗層と保水給排水手段とを連結する固定手段と、前記育苗層および客土層に大気を循環させるための通気機構と、により構成して、さらに、保水給排水手段を構成するドレイン板には接着剤を介して前記ルートガード表面に接合するための固定部を複数形成することにより、なお一層優れた植栽装置を実現しようとするものである。
【０００４】
【発明が解決しようとする課題】
しかしながら、土壌中の水分量が多すぎると、菌の増殖により植物の根腐れが発生してしまうので、保水給排水手段であるドレイン板の保水量を大きく設定することができなかった。したがって、土壌への散水の回数を減らすことができず、その植物の管理に手間がかかっていた。
【０００５】
そこで、本発明は、上記に鑑み、土壌中の保水量を高めることのできる植栽構造の提供を目的とする。
【０００６】
【課題を解決するための手段】
上記目的を達成するため、本発明は、設置面に設けられた保水手段に、難腐敗性土壌を充填した植栽構造を提供するものである。この構造によると、難腐敗性土壌には殺菌力があるので、土壌中の水分量が大きい場合でも、水の腐敗を防ぎ、植物の根腐れ菌を抑制することができる。したがって、保水手段の保水量を大きく設定することができ、土壌中の保水量を高めることができる。これにより、土壌への散水の回数を減らすことができ、植物の生育の管理が容易となる。
【０００７】
難腐敗性土壌は、殺菌力のあるものであれば種々の素材を適用可能であり、例えば、難腐敗性天然樹皮を混ぜた土壌が挙げられる。難腐敗性天然樹皮は、殺菌力があると共に保水性を有するので、さらに土壌中の保水量を高めることができ、土壌への散水の回数を減らすことができる。難腐敗性の天然樹皮としては、スギ、ヒノキ、ヒバ、ユーカリ又はヤシガラが挙げられ、これらのうちの２種以上を混合させて用いてもよい。
【０００８】
保水手段は、水分を保持できるものであればどのようなものであってもよく、例えば、上面開口の容器状のものや、複数の棒状の枠材を交差させて設置面に固定して保水させる形態や、内部に小孔を有するスポンジ等の多孔性のものなど、種々のものを採用可能である。上記のように、保水手段を上面開口の容器状のものとすれば、植栽構造の施工が容易となるので好ましい。
【０００９】
保水手段は、その保水部を区画壁により小さく区切れば、保水手段が傾いていても、各区画内に保水することができるので、保水量を高めることができる。したがって、設置面が傾斜している場合であっても、高い保水量を保つことができる。区画の幅は、特に限定しないが、２〜５ｃｍと小さく設定すれば、充分に保水することができるので好ましい。また、保水手段の内部に多孔性のものを収容することにより、内部を区画する形態をとってもよい。
【００１０】
保水手段の区画壁の高さは、約３ｃｍより低ければ十分な量を保水することができないので、約３ｃｍ以上とするのが好ましい。さらには、区画壁の高さが、約１０ｃｍより高ければ植栽構造が巨大化してしまうので、約３ｃｍ〜約１０ｃｍとするのが好ましく、この高さであれば、充分な水分量を保持するのが可能である。
【００１１】
このような植栽構造は、種々の植物を植栽可能であるが、上記のように、散水の回数が減るなど生育の管理が容易となるので、芝生の植栽に好適である。また、施工も容易であるので、屋上緑化にも好適である。
【００１２】
また、従来の植木鉢、コンテナ又はプランター等の植栽ボックスは、図８に示すように、底面に排水用穴が設けられているので、土壌に吸収されない水はすぐに排水用穴から排水されてしまい、土壌が乾くたびに散水をしなければならなかった。
【００１３】
そこで、本発明のように、ボックスの底面に排水用穴を設けずに、ボックス内の下部を保水部とし、ボックスの側壁に排水用穴を設けた植栽ボックスとすれば、保水部に水を溜めることができるので、散水の回数を減らすことができる。また、過剰な水分は、側壁の排水用穴から排出できる。
【００１４】
上記の植栽ボックスを用いて、ボックス内に難腐敗性土壌を充填した植栽構造とすれば、難腐敗性土壌には殺菌力があるので、土壌中の水分量が大きい場合でも、水の腐敗を防ぎ、植物の根腐れ菌を抑制することができる。したがって、保水部の保水量を大きく設定することができるので、土壌中の保水量を高めることができる。また、難腐敗性土壌として、難腐敗性樹皮を混ぜた土壌を使用すると、難腐敗性樹皮は保水性を有するため、さらに土壌中の保水量を大きくでき、散水の回数を減らすことができ、植物の生育の管理が容易となる。
【００１５】
【発明の実施の形態】
以下、本発明の実施形態を図面に基づいて説明する。
【００１６】
〔第１の実施形態〕
図１は第１の実施形態の植栽構造の断面図、図２は保水手段の平面図、図３（ａ）は図２のＡ−Ａ断面図、同図（ｂ）は図２のＢ−Ｂ断面図である。図１に示すように、本実施形態の植栽構造は、設置面１に配された防水層２と、その防水層２の上に配された保水手段３と、その保水手段３に充填された難腐敗性土壌４とから構成される。
【００１７】
防水層２は、防水機能が必要であるが、その他、設置後のメンテナンスが難しいので耐久性もあるものが好ましく、例えば、アスファルトルーフィング等を積層するアスファルト防水や、シート防水などにより設置面１に形成するのが好ましい。さらには、防水層２は、植物の根の力に対する耐根性、肥料、除草剤などの散布に対する耐薬品性、土壌内に多数存在するバクテリアに対する耐バクテリア性又は耐衝撃性があるものが好ましい。
【００１８】
保水手段３は、素材としては、強度及び弾力性に優れ、腐敗しにくい素材が好ましく、ポリエチレン、ポリスチレン、ポリプロピレンなどの合成樹脂製とされるが、他の素材を使用しても構わない。特に、ポリエチレンは、強度及び弾力性があり、再生利用が可能であるので好ましい。
【００１９】
図２及び図３に示すように、保水手段３は、底板３ａの縁周に側壁３ｂが立設された矩形の容器状に形成され、容器の内部が保水部３ｃとされる。側壁３ｂの高さは約３ｃｍに設定される。そして、容器の底板３ａに、区画壁３ｄ及び排水壁３ｅがそれぞれ縦横に交差して立設されることにより、保水部３ｃが小さく区画され、各区画内に水分を溜めることができる。区画の幅は約４．５ｃｍ、区画壁３ｄ及び排水壁３ｅの高さは約３ｃｍに設定される。
【００２０】
排水壁３ｅは、中空状で底面が開口して形成され、その中空部分が排水用通路５とされる。区画壁３ｄの頂面には、排水用穴３ｆが複数個形成されており、排水用穴３ｆより、余分な水を排水用通路５に排出することができる。また、排水用通路５の両側に配される排水壁３ｅは、板状の補強壁３ｇで連結されているので、強度を高くすることができる。補強壁３ｇは、その下端と設置面との間に隙間が形成されているので、排水用通路５を確保できる。
【００２１】
難腐敗性土壌４は、殺菌能力のある土壌であればよく、殺菌力のある難腐敗性の材料が土に配合されてなる。難腐敗性の材料としては、スギ及びヒノキの樹皮を繊維状に粉砕したものが使用される。粉砕した難腐敗性の樹皮４ａの大きさは、約０．１ｃｍ〜５ｃｍが好ましく、土への配合量は、５〜５０％とする。
【００２２】
これらの難腐敗性の樹皮４ａは、殺菌力があるので、土壌中の菌を抑制することができる。また、殺菌力及び殺虫力があるので、無農薬で芝生などの植物を管理することができ、雑草が生えにくいので除草剤も殆ど不要とでき、植物の管理が容易である。
【００２３】
また、難腐敗性の樹皮４ａは、保水性があるので、土壌中の保水量を高めることができる。また、難腐敗性の樹皮４ａを繊維状とすることにより、土砂同士の団結を防いで、水を流下させる排水管の役目を果たすことができるので、余分な水分を流下させることができる。
【００２４】
さらにまた、難腐敗性の樹皮４ａは超軽量であるので、建物などの設置面１の負担となりにくく、屋上緑化に適したものとできる。また、施工が容易であるので、短期間及び低コストで施工を行うことが可能である。
【００２５】
また、暖地型の芝は地温が低いと冬枯れを起こしてしまうが、難腐敗性土壌は、気相率が高く、断熱性にも優れ、地温を高く保つことができるので、暖地型の芝を植えた場合でも冬枯れを起こさない。
【００２６】
また、難腐敗性土壌４は、難腐敗性の材料に加えて、さらに燃焼灰、鹿沼土、肥料等の他の材料を配合しても構わない。燃焼灰は、動物、草木類、石炭又は石油を燃焼したものであり、保水性、植物成長阻害抑制作用及び保肥性がある。鹿沼土は、保水性、保肥性がある。なお、鹿沼土のかわりに、軽石、珪藻土、活性炭又は炭の粉を混ぜても良い。
【００２７】
このように燃焼灰及び鹿沼土を配合することにより、植物の生育に必要な水を供給し、植物成長阻害作用を抑制し、肥料を保持することができるので、健全　に植物を生育させることができる。土への配合量は、燃焼灰が１〜２０％、鹿沼土が３〜３０％とされる。
【００２８】
上記のような植栽構造の施工方法について説明する。植栽構造の施工方法は、まず、設置面１の上にアスファルト防水層２を施工し、この防水層２の上に保水手段３を敷き詰め、保水手段３に難腐敗性土壌４を充填するというものである。難腐敗性土壌４には、芝生が植栽される。
【００２９】
上記のような植栽構造によると、難腐敗性土壌４には殺菌力があるので、土壌中の水の腐敗を防ぎ、植物の根腐れ菌を抑制することができる。そのため、保水手段３の側壁３ｂ、区画壁３ｄ及び補強壁３ｇの高さを上記のように高く設定することにより、保水手段３の保水量を高め、土壌中の保水量を大きくすることができる。また、難腐敗性の樹皮４ａは、保水性があるため、さらに土壌中の保水量を高めることができる。したがって、散水の回数を減らすことができ、植物の生育の管理が容易となる。
【００３０】
このような植栽構造は、種々の植物を植栽可能であるが、上記のように、散水の回数が減るなど生育の管理が容易となるので、広い面積に植栽するのが必要な芝生に好適である。また、施工が容易であり、難腐敗性土壌４が軽量であるので、屋上緑化に好適である。
【００３１】
なお、本植栽構造は、その設置場所は限定されず、屋上、屋根の上、地上、屋内など種々の場所及び水平面又は斜面などを問わずに採用可能である。また、上記実施形態において、防水層２を設けたが、必要のない設置場所においては、設けない構造としてもよい。
【００３２】
〔第２の実施形態〕
図４は第２の実施形態の植栽構造の断面図、図５は保水手段３の斜視図である。図４に示すように、本植栽構造は、防水層２の上に、枠組みにより保水手段３が形成されたものであり、その他の構成は、第１の実施形態と同様である。
【００３３】
保水手段３は、強度及び弾力性に優れ、腐敗しにくい素材が好ましく、ポリエチレン、ポリスチレン、ポリプロピレンなどの合成樹脂製とされるが、他の素材を使用しても構わない。特に、ポリエチレンは、強度及び弾力性があり、再生利用が可能であるので好ましい。
【００３４】
図５に示すように、保水手段３は、棒状の枠材３ｈを縦横に交差させ、それを防水層２に固定させることにより、防水層２上に側壁３ｂ及び区画壁３ｄが立設されて形成される。第１の実施の形態と同様に、区画の幅は約４．５ｃｍ、枠材３ｈ、すなわち側壁３ｂ及び区画壁３ｄの高さは、約３ｃｍに設定するとよい。
【００３５】
上記のような植栽構造によると、難腐敗性土壌４には殺菌力があるので、土壌中の水の腐敗を防ぎ、植物の根腐れ菌を抑制することができる。そのため、保水手段３の枠材３ｈの高さを上記のように高く設定することにより、保水量を高め、土壌中の保水量を大きくすることができる。また、難腐敗性の樹皮４ａは、保水性があるため、さらに土壌中の保水量を高めることができる。したがって、散水の回数を減らすことができ、植物の生育の管理が容易となる。
【００３６】
このような植栽構造は、種々の植物を植栽可能であるが、上記のように、散水の回数が減るなど生育の管理が容易となるので、広い面積に植栽する必要のある芝生に好適である。また、屋上緑化に好適である。
【００３７】
〔第３の実施形態〕
図６は第３の実施形態の植栽構造の断面図、図７は保水手段３である植栽ボックス６の斜視図である。本植栽構造は、植栽ボックス６内に、難腐敗性土壌４が充填された構造である。難腐敗性土壌の構成は、第１の実施形態と同様である。
【００３８】
植栽ボックス６は、図６及び図７に示すように、上面開口の容器状に形成され、ボックス６の側方に排水用穴６ａが形成される。ボックス６の底面には排水用穴は形成せず、ボックス６内の下部が保水部６ｂとされる。図中の斜線部は保水部６ｂを表す。ボックス６の大きさは特に限定されず、コンテナ又はプランターなどの小型のものや、植えマスなどの大型のものとしてもよい。
【００３９】
植栽ボックス６の素材としては、強度及び弾力性に優れ、腐敗しにくい素材が好ましく、ポリエチレン、ポリスチレン、ポリプロピレンなどの合成樹脂製とされるが、他の素材を使用しても構わない。特に、ポリエチレンは、強度及び弾力性があり、再生利用が可能であるので好ましい。ボックス６の形状は、立方体又は直方体など種々の形態をとってもよい。また、排水用穴６ａの形状は限定されず、穴６ａの数は１個でもよいし、複数個設けてもよい。
【００４０】
植栽構造の施工方法は、ボックス６内に難腐敗性土壌４を充填するというものである。このような植栽構造とすれば、保水部６ｂに水を溜めることができるので、土壌中の保水量を大きくでき、散水の回数を減らすことができる。
【００４１】
また、難腐敗性土壌４には殺菌力があるので、土壌中の水の腐敗を防ぎ、植物の根腐れ菌を抑制することができる。そのため、排水用穴６ａを高い位置に設定することにより、保水部６ｂの保水量を高めることができる。また、難腐敗性の樹皮４ａは、保水性があるため、さらに土壌中の保水量を高めることができる。
したがって、散水の回数を減らすことができ、植物の生育の管理が容易となる。
また、余分な水は、側壁３ｂの排水用穴６ａより排出できる。この方法は、プランター等の小型のボックスに限定されず、大型の植えマスや農業用に利用できる。
【００４２】
また、従来は、図８に示すように、排水性の確保及び土壌の流亡防止のために、容器内の底部に石、軽石、パーライト粒などの排水材を敷き詰めなければならなかったが、本発明においては、土に繊維構造の難腐敗性樹皮４ａを配合しているので、繊維間で隙間ができることにより排水性を保つことができ、排水用穴６ａからも流亡しにくい。したがって、従来の排水材が不要とできる。
【００４３】
なお、植栽ボックス６の保水部６ｂを区画壁により小さく区切ってもよく、このようにすれば保水手段が傾いていても、各区画内に保水することにより保水量を高めることができる。したがって、保水手段が、傾斜した設置面に設置された場合においても、高い保水量を保つことができる。
【００４４】
【発明の効果】
以上の説明から明らかな通り、本発明によると、設置面に設けられた保水手段に、難腐敗性樹皮を混ぜた土壌を充填させた植栽構造としたので、難腐敗性樹皮の有する殺菌力により、根腐れの発生を防止でき、保水手段の保水量を大きくして土壌中の保水量を高めることができる。また、難腐敗性樹皮は、保水性を有しているので、さらに土壌中の保水性を高めることができる。したがって、散水の回数を減らすことができ、植物の生育管理の手間を省くことができる。
【図面の簡単な説明】
【図１】第１の実施形態の植栽構造の断面図
【図２】同じくその保水手段の平面図
【図３】（ａ）は、図２のＡ−Ａ断面図
（ｂ）は、図２のＢ−Ｂ断面図
【図４】第２の実施形態の植栽構造の断面図
【図５】同じくその保水手段の斜視図
【図６】第３の実施形態の植栽構造の断面図
【図７】同じくその植栽ボックスの斜視図
【図８】従来の植栽ボックスの植栽構造の断面図
【符号の説明】
１　　設置面
２　　防水層
３　　保水手段
４　　難腐敗性土壌
３ｄ　区画壁
３ｅ　排水壁
３ｈ　枠材
６　　植栽ボックス
６ａ　排水用穴
６ｂ　保水部
【図１】
2004041069.tif 000003
【図２】
2004041069.tif 000004
【図３】
2004041069.tif 000005
【図４】
2004041069.tif 000006
【図５】
2004041069.tif 000007
【図６】
2004041069.tif 000008
【図７】
2004041069.tif 000009
【図８】
2004041069.tif 000010